(57)【要約】【課題】一つの付勢部材によって、レンズを光軸方向に付勢するとともに、ガイド軸を中心とした回動力をレンズに与えてレンズ間のブレを抑えることができるレンズ群の案内構造及びファインダ構造を提供する。【解決手段】可動レンズ群の光軸と平行なガイド軸と、このガイド軸に摺動可能に支持された、可動レンズ群の支持枠と、この可動レンズ群支持枠を光軸方向の一方に付勢する移動付勢手段と、この可動レンズ群支持枠をガイド軸を中心に回動付勢する回動付勢手段と、を有し、移動付勢手段と回動付勢手段を兼ねるばね手段として、コイル部と、このコイル部の両端部から延びる一対の脚部とを有するトーションコイルばねを用い、このトーションコイルばねのコイル部を光軸及びガイド軸と交わらずに直交する軸周りに支持し、移動付勢手段としてこのトーションコイルばねの一対の脚部間に作用する力を利用し、回動付勢手段としてこのトーションコイルばねの脚部が直線に戻ろうとする力を利用する。【選択図】  図２
2004240360.tif 000002
【特許請求の範囲】
【請求項１】
可動レンズ群の光軸と平行なガイド軸と、
前記ガイド軸に摺動可能に支持された、前記可動レンズ群の支持枠と、
前記可動レンズ群支持枠を光軸方向の一方に付勢する移動付勢手段と、
前記可動レンズ群支持枠を前記ガイド軸を中心に回動付勢する回動付勢手段と、
を有するレンズ群の案内構造において、
前記移動付勢手段と回動付勢手段を兼ねるばね手段として、コイル部と、前記コイル部の両端部から延びる一対の脚部とを有するトーションコイルばねを用い、前記トーションコイルばねのコイル部を光軸及びガイド軸と交わらずに直交する軸周りに支持し、
前記移動付勢手段として前記トーションコイルばねの一対の脚部間に作用する力を利用し、
前記回動付勢手段として前記トーションコイルばねの脚部が直線に戻ろうとする力を利用する、
ことを特徴とするレンズ群の案内構造。
【請求項２】
請求項１記載のレンズ群の案内構造であって、一対の脚部の一方を前記ガイド軸との偏心位置において前記可動レンズ群支持枠に掛け止めるとともに、他方をケーシングに掛け止め、前記一対の脚部間に作用する力によって、前記可動レンズ群支持枠に前記軸方向移動力と回動付勢力を与えたことを特徴とするレンズ群の案内構造。
【請求項３】
ファインダ構造であって、請求項１又は請求項２記載のレンズ群の案内構造を備えることを特徴とするファインダ構造。
【発明の詳細な説明】
【０００１】
【技術分野】
本発明は、内部に搭載されたレンズがその光軸方向に進退可能なレンズ群の案内構造及びファインダ構造に関する。
【０００２】
【従来技術及びその問題点】
ズーム機能を備えるファインダ構造においては、レンズ群の案内構造として、レンズを光軸方向に進退させるとともに、レンズ間のブレを抑える必要があった。
【０００３】
しかし、従来のレンズ群の案内構造においては、レンズを光軸方向に付勢する部材とレンズのブレを抑える部材を別個に設ける必要があったため、部品点数及び組み立て工数が多くならざるを得ず、コストアップの原因となっていた。
【０００４】
【特許文献】
特開平６−２５０２６３号公報
【０００５】
【発明の目的】
そこで本発明の目的は、一つの付勢部材によって、レンズを光軸方向に付勢するとともに、ガイド軸を中心とした回動力をレンズに与えてレンズ間のブレを抑えることができるレンズ群の案内構造及びファインダ構造を提供することにある。これにより、部品点数及び組み立て工程数の低減によるコストダウンを図ることができる。
【０００６】
【発明の概要】
上記問題点を解決するために、本発明のレンズ群の案内構造又はファインダ構造においては、可動レンズ群の光軸と平行なガイド軸と、このガイド軸に摺動可能に支持された、可動レンズ群の支持枠と、この可動レンズ群支持枠を光軸方向の一方に付勢する移動付勢手段と、この可動レンズ群支持枠をガイド軸を中心に回動付勢する回動付勢手段と、を有し、移動付勢手段と回動付勢手段を兼ねるばね手段として、コイル部と、このコイル部の両端部から延びる一対の脚部とを有するトーションコイルばねを用い、このトーションコイルばねのコイル部を光軸及びガイド軸と交わらずに直交する軸周りに支持し、移動付勢手段としてこのトーションコイルばねの一対の脚部間に作用する力を利用し、回動付勢手段としてこのトーションコイルばねの脚部が直線に戻ろうとする力を利用することを特徴としている。
【０００７】
一対の脚部の一方を前記ガイド軸との偏心位置において可動レンズ群支持枠に掛け止めるとともに、他方をケーシングに掛け止め、一対の脚部間に作用する力によって、可動レンズ群支持枠に軸方向移動力と回動付勢力を与えるとなおよい。
【０００８】
【発明の実施形態】
以下、本発明に係る実施形態を図１及び図２を参照しつつ詳しく説明する。本実施形態においては、本体部（ケーシング）１０、並びに、レンズ群の案内構造１として、本体部１０内に配置されたレンズ群２０、光軸方向ガイド部４０、回動方向ガイド部６０、及び、付勢部材７０、７１を備える。なお、レンズ群の案内構造１はファインダ構造を構成することができる。
【０００９】
ズームレンズを備えるカメラに装着されるレンズ群の案内構造１においては、本体部１０はその外形形状が略長方形であって、その内部には、光軸Ｏが本体部１０の長手方向に平行になるように、第１レンズ群２１、第２レンズ群２２及び第３レンズ群２３からなるレンズ群２０が配置されている。レンズ群２０は、被写体側（Ａ側）から撮影者側（Ｂ側）へ第１レンズ群２１、第２レンズ群２２、第３レンズ群２３の順に配置されており、第１レンズ群２１及び第２レンズ群２２は後述の光軸方向ガイド部４０により光軸Ｏ方向に進退可能（ズーミング可能）である。
【００１０】
光軸方向ガイド部４０は、光軸Ｏに平行に延びるガイド軸４１と、ガイド軸４１と摺動しつつ移動可能な第１レンズ支持部材（支持枠）４２及び第２レンズ支持部材４３と、本体部１０の下面に固定され、第１レンズ支持部材４２及び第２レンズ支持部材４３の動きを規制する平面状のカム部材４４と、を備えている。第１レンズ支持部材４２及び第２レンズ支持部材４３はそれぞれ、その内部にガイド軸４１を受容、摺動する中空の円筒状部材４２ａ、４３ａと、円筒状部材４２ａ、４３ａ上部に固定され、第１レンズ群２１及び第２レンズ群２２を囲むようにして固定するレンズ支持台部４２ｃ、４３ｃと、を備えている。
【００１１】
第１レンズ支持部材４２及び第２レンズ支持部材４３の下部には、それぞれ、下方に突出する円柱状部材４２ｂ及びカムフォロワ４３ｂが設けられている。第１レンズ支持部材４２は、円柱状部材４２ｂがカム部材４４の前端面４４ａに突き当たることにより、光軸Ｏ方向の移動が規制されている。一方、第２レンズ支持部材４３は、カム部材４４に設けられたカム溝４４ｂにカムフォロワ４３ｂが嵌まることによって、ガイド軸４１を中心とする回動を規制されつつ光軸Ｏ方向に移動可能である。以上の構成によって、第１レンズ支持部材４２が第１レンズ群２１を、第２レンズ支持部材４３が第２レンズ群２２をそれぞれ光軸Ｏ方向に移動可能に支持している。
【００１２】
第１レンズ支持部材４２及び第２レンズ支持部材４３を付勢する付勢部材（付勢手段）７０、７１は、それぞれ、コイル状の円環部（コイル部）７０ａ、７１ａと、円環部の両端から接線方向に延びる一対の脚部７０ｂ及び７０ｃ、７１ｂ及び７１ｃと、脚部の先端を曲げることによって設けられた掛止部７０ｄ、７１ｄと、からなるトーションバネである。脚部７０ｂと７０ｃを、又は、脚部７１ｂと７１ｃを互いに近づけるような力を加えると、それぞれを広げようとする弾性力がはたらく。
【００１３】
円環部７０ａ、７１ａは、その巻回方向が図１の紙面垂直方向と平行であり、一方の脚部７０ｂ、７１ｂが下方に延びるように、本体部１０内上部に固定された円環部取付部１１、１２に回動可能に支持されている。別言すれば、円環部７０ａ、７１ａは、光軸Ｏ及びガイド軸４１のいずれとも交わらずに直交する軸としての円環部取付部１１、１２の周りに支持されている。他方の脚部７０ｃ、７１ｃは、脚部７０ｂ、７１ｂを円環部７０ａ、７１ａに近づけるような力が脚部７０ｂ、７１ｂに加わったときに、本体部１０内上部であって円環部７０ａ、７１ａの前方に設けられた規制部材１５、１６に突き当たって円環部７０ａ、７１ａの回動を規制するように配置されている。掛止部７０ｄ、７１ｄは、脚部７０ｂ、７１ｂに対して略直角をなしている（図２）。
【００１４】
レンズ支持台部４２ｃ、４３ｃは、光軸Ｏ方向に突出した略円錐台状のボス部（突起部）４２ｄ、４３ｄを有している。ボス部４２ｄ、４３ｄには、図１の紙面奥側から手前側に向けて掛止部７０ｄ、７１ｄが掛け止められる。
【００１５】
付勢部材７０、７１は、光軸直交断面において、ガイド軸４１の鉛直上方よりやや外側に偏心した位置に配置されている。このように配置することにより、脚部７０ｂ及び７１ｂが湾曲した状態で、掛止部７０ｄ、７１ｄがボス部４２ｄ、４３ｄに掛け止められる。このため、第１レンズ支持部材４２及び第２レンズ支持部材４３は、脚部７０ｂと脚部７０ｃ、または、脚部７１ｂと脚部７１ｃが開こうとする力によって、光軸Ｏ方向のうち撮影者側に移動付勢されるとともに、脚部７０ｂ及び脚部７１ｂが直線に戻ろうとする力によってガイド軸４１を中心として回動付勢される。すなわち、付勢部材７０、７１は移動付勢手段と回転付勢手段を兼ねるバネ手段となっている。
【００１６】
一方、本体部１０内の上部には、案内溝部１３、１４及び案内腕部４２ｅ、４３ｅからなる回動方向ガイド部６０、６１が構成されている。案内溝部１３、１４は、本体部１０の上側内壁であって、光軸直交断面において付勢部材７０、７１より内側において、光軸Ｏ方向に延びるように設けられている。案内腕部４２ｅ、４３ｅは、レンズ支持台部４２ｃ、４３ｃの上部から上方に延びるように設けられており、案内溝部１３、１４に受容される。
【００１７】
付勢部材７０及び７１の弾性力によって、第１レンズ支持部材４２、第２レンズ支持部材４３にガイド軸４１の周りに回動する力が与えられると、案内腕部４２ｅ，４３ｅの付勢部材７０、７１側の端面４２ｅ１、４３ｅ１は、案内溝部１３、１４の付勢部材７０、７１側の端面１３ａ、１４ａに突き当たり、案内溝部１３、１４と案内腕部４２ｅ、４３ｅとの遊びがなくなる。このとき第１レンズ群２１及び第２レンズ群２２それぞれの光軸が光軸Ｏに一致するように構成されている。
【００１８】
以上の構成によって、一つの付勢部材７０（又は７１）によって、レンズを光軸方向に付勢するとともに、レンズにガイド軸４１を中心とした回動力を与えてレンズの位置を微調整してレンズ間のブレを抑えることができる。これにより、部品点数及び組み立て工程数の低減によるコストダウンを図ることができる。
【００１９】
本発明について上記実施形態を参照しつつ説明したが、本発明は上記実施形態に限定されるものではなく、改良の目的または本発明の思想の範囲内において改良または変更が可能である。
【００２０】
【発明の効果】
以上説明したように、本発明によると、一つの付勢部材によって、レンズを光軸方向に付勢するとともに、ガイド軸を中心とした回動力をレンズに与えてレンズ間のブレを抑えることができる。これにより、部品点数及び組み立て工程数の低減によるコストダウンを図ることができる。
【図面の簡単な説明】
【図１】本発明の実施形態に係るレンズ群の案内構造を側面から見た図である。
【図２】本発明の実施形態に係るレンズ群の案内構造の正面から見た図である。
【符号の説明】
１    レンズ群の案内構造
１０  本体部（ケーシング）
２０  レンズ群
２１  第１レンズ群
２２  第２レンズ群
２３  第３レンズ群
４１  ガイド軸
４２  第１レンズ支持部材（支持枠）
４３  第２レンズ支持部材（支持枠）
４２ｃ  ４３ｃ  支持台部
７０    ７１  付勢部材（付勢手段）
７０ａ  ７１ａ  円環部（コイル部）
７０ｂ  ７１ｂ  脚部
Ｏ    光軸
【図１】
2004240360.tif 000003
【図２】
2004240360.tif 000004